Podtech/llm-jp-corpus-v4-ja_patent huggingface dataset:
(57)【要約】      （修正有）【課題】内容物を湿気から防ぐ、吸湿剤、乾燥剤を使わない防湿容器を提供する。【解決手段】内容器１に透湿防水フィルムの透湿面を内側に、透湿防水フィルムの防水面を外側に配して使用し、網目、格子状、穴あき等の通気性を有する外容器２との二重構造によって内容収納物を湿気から防ぎ、防湿を保持する防湿容器を構成している。【選択図】図１
0003190454.tif 000002
【実用新案登録請求の範囲】
【請求項１】
内容器に透湿防水フィルムを使用し、外容器に穴あき等の措置を施して通気性を持たせた二重構造の防湿容器。
【考案の詳細な説明】
【技術分野】
【０００１】  本考案は、内容物を湿気から防ぐ防湿容器に関する。
【背景技術】
【０００２】  従来の防湿容器は、密閉された容器とその中に内蔵された吸湿剤、乾燥剤で構成されている。【０００３】  しかしながら、従来の吸湿剤、乾燥剤を内蔵した防湿容器においては、内蔵された吸湿剤、乾燥剤が湿気を吸収し飽和状態になり効果が失われると、吸湿剤、乾燥剤を取り替えなければならない欠点があった。
【先行技術文献】
【特許文献】
【０００４】
【特許文献１】  特開平９−６５９９２  公報
【特許文献２】  特開２０１２−４６２２４  公報
【特許文献３】  特開２０１２−４６２２５  公報
【特許文献４】  特開２０１２−１９７１１７  公報
【考案の概要】
【考案が解決しようとする課題】
【０００５】  本考案は、以上のような従来の吸湿剤、乾燥剤の取り換えを必要とする欠点に鑑み、吸湿剤、乾燥剤を用いない防湿容器を提供することを目的としている。
【課題を解決するための手段】
【０００６】  上記目的を達成するために、本考案は内容器に透湿防水フィルムの透湿面を内側に、透湿防水フィルムの防水面を外側に配して使用し、網目、格子状、穴あき等の通気性を有する外容器との二重構造によって内容収納物を湿気から防ぎ、防湿を保持する防湿容器を構成している。
【考案の効果】
【０００７】  以上の説明から明らかなように、本考案にあっては次に列挙する効果が得られる。
（１）内容器に透湿防水フィルムの透湿面を内側に、透湿防水フィルムの防水面を外側に      配して使用し、網目、格子状、穴あき等の通気性を有する外容器との二重構造によ      って構成されているので容器内部を湿気から防ぐことができる。【０００８】（２）前記（１）によって吸湿剤、乾燥剤を必要としない防湿容器ができる。
【図面の簡単な説明】
【０００９】
【図１】本考案を実施するための最良の第１形態の調味料入れの縦断面図である。
【図２】本考案を実施するための最良の第１形態の調味料入れの外観図である。
【図３】本考案を実施するための最良の第２形態の衣装ケースの縦断面図である。
【図４】本考案を実施するための最良の第２形態の衣装ケースの外観図である。
【考案を実施するための形態】
【００１０】  以下、本考案の実施の形態を図に基づいて説明する。
【実施例１】
【００１１】  図１は、本考案の実施例１の調味料入れの縦断面図である。
【実施例２】
【００１２】  図２は、本考案の実施例１の調味料入れの外観図である。
【実施例３】
【００１３】  図３は、本考案の実施例２の衣装ケースの縦断面図である。
【実施例４】
【００１４】  図４は、本考案の実施例２の衣装ケースの外観図である。
【産業上の利用可能性】
【００１５】  本考案は、防湿容器を必要とする産業で利用される。
【符号の説明】
【００１６】    １  透湿防水フィルム内容器
２  穴あき外容器
３  蓋
４  小穴あき内蓋
【図１】
0003190454.tif 000003
【図２】
0003190454.tif 000004
【図３】
0003190454.tif 000005
【図４】
0003190454.tif 000006
【手続補正書】
【提出日】平成26年2月13日(2014.2.13)
【手続補正１】
【補正対象書類名】実用新案登録請求の範囲
【補正対象項目名】全文
【補正方法】変更
【補正の内容】
【実用新案登録請求の範囲】
【請求項１】
内側の透湿面と外側の防水面からなる透湿防水フィルムと、前期透湿防水フィルムの外側に配置される穴あき外容器とからなる二重構造の容器。
(57)【要約】      （修正有）【課題】手袋をしている場合や、風が強い時、重い雪の時でも、傘の持ち手が滑ってしまうことを防ぐ傘のフックを提供する。【解決手段】傘の持ち手３に傘を差した状態で手や指がかかるようにフック４を固定する。フックが手にかかり、強い力で傘の持ち手を握る必要がなく、傘を持つ手が滑るのを防止することができる。【選択図】図１
0003190453.tif 000002
【実用新案登録請求の範囲】
【請求項１】
傘本体（１）と中棒（２）と持ち手（３）からなる傘に取り付けるフック（４）であって、フック（４）を手や指にかけるように握ると、フックが滑り止めになり、少ない握力で傘を保持できるようにしたことを特徴とする、傘のフック。
【考案の詳細な説明】
【技術分野】
【０００１】
本考案は傘の持ち手に取り付ける滑り止め機能を備えたフックに関する。
【背景技術】
【０００２】
J型の傘の持ち手
【考案の概要】
【考案が解決しようとする課題】
【０００３】
手袋をしている場合や、風が強い時、重い雪の時や、傘の持ち手が滑ってしまうため、強く握り続ける必要がある。そのため、長時間傘を持っていると手が疲れてしまったり、特に片手に荷物を持っている場合には、滑って傘を保持できなくなってしまうという欠点を解決しようとするものである。
【課題を解決するための手段】
【０００４】
本考案は、傘の持ち手に手を引っ掛けるフックを付けることで、この問題を解決している。
【考案の効果】
【０００５】
傘の持ち手（３）にフック（４）を有することで、フックが手にかかり、強い力で傘の持ち手を握る必要がなく、傘を持つ手が滑るのを防止することができる。
【図面の簡単な説明】
【０００６】
【図１】傘本体（１）と中棒（２）とＪ字型の持ち手（３）に取り付けるフック（４）であって、持ち手（３）の中棒（２）に近い場所に、フック（４）が固定され、持ち手（３）の直線部分（５）を握った時に、握った手が滑らなようにする機能を持つフック（４）。
【考案を実施するための形態】
【０００７】
以下、本考案の実施形態について説明する。
図１は本考案のフックを備えた傘の全体構成（外観図）である。傘の持ち手（３）はJ字型で、フック（４）が取り付けてあり、弱い握力で簡単に傘を保持できる機能と従来の持ち手の機能も兼ね備える。
【実施例】
【０００８】
傘をさすときは、図１に示すように、持ち手（３）を手で握って傘をさす。このときフック（４）が指にかかるように持つことで、フックが滑り止めの機能を有する。
【符号の説明】
【０００９】
１ 傘本体
２ 中棒
３ 持ち手
４ フック
５ 手
【図１】
0003190453.tif 000003
【手続補正書】
【提出日】平成26年3月4日(2014.3.4)
【手続補正１】
【補正対象書類名】実用新案登録請求の範囲
【補正対象項目名】全文
【補正方法】変更
【補正の内容】
【実用新案登録請求の範囲】
【請求項１】
傘本体（１）と中棒（２）と持ち手（３）からなる傘に取り付けるフック（４）であって、傘を差した状態で手や指がかかるように、持ち手（３）に固定されたフック（４）が、傘を持つ手を半固定し滑り止めになり、少ない握力で傘を保持できるようにしたことを特徴とする、傘のフック。
(57)【要約】      （修正有）【課題】例えば夜間に起こった災害時に、電源を失い点灯しなくなったような街路灯周辺の暗やみに埋設すれば、容易に視認することができ、避難場所への誘導に役立つ誘導灯を提供する。【解決手段】下部埋込ボックス１は厚み１０ｍｍ〜２０ｍｍを有し、長さ１５０ｍｍ、巾１２０ｍｍ、高さ４０ｍｍ〜５０ｍｍ程度を有するＡＢＳ樹脂の射出成形品であり、回路２、ニッカド二次電池３が係着されている。上部本体４はＡＢＳ樹脂の射出成形品であり、高さ３０ｍｍ〜４０ｍｍ程度を有しており、固定凹部５、固定穴６が設けられ、ソーラー電池７が固着され、青色ＬＥＤライト８、赤色ＬＥＤライト９が固着されている。【選択図】図１
0003190462.tif 000002
【実用新案登録請求の範囲】
【請求項１】
下部埋込ボックスに回路を固着し、ニッカド二次電池を固着し、上部本体に固定凹部、固定用穴を設け、ソーラー電池を固着し、赤色ＬＥＤライト、青色ＬＥＤライトを固着した誘導灯。
【考案の詳細な説明】
【技術分野】
【０００１】  本考案は、夜間の非常災害時に避難場所への誘導を行う誘導灯に関するものである。
【背景技術】
【０００２】  従来の技術としては、一方に向けて、他方より強い光を放射させて観者を誘導するものがある。（例えば特許文献  １参照）
【先行技術文献】
【特許文献】
【０００３】
【特許文献１】  特許公開２０１３−１７４０９２（特願２０１２−３９４４５）
【考案の概要】
【考案が解決しようとする課題】
【０００４】  以上に述べた従来の一方に向けて、他方より強い光を放射させて観者を誘導する誘導灯は、一方向に誘導するものである。したがって、本願のように避難する人を誘導する際に使用したとき、その方向が安全な方向か否かの確認ができないという問題点を有していた。
【課題を解決するための手段】
【０００５】  本考案は、このような従来の技術が有していた問題点を解決しようとするものであり、太陽電池により生起された電力が、危険区域を示す赤色ＬＥＤライト、安全な避難場所を示す青色ＬＥＤライトによって視認させることにより問題点を解決している。
【考案の効果】
【０００６】  上述したように、本考案の誘導灯は例えば夜間に起こった災害時に、電源を失い点灯しなくなったような街路灯周辺の暗やみに埋設すれば、容易に視認することができ、避難場所への誘導に役立つ。【０００７】  また、夜間の災害時に、高台にある避難場所に行くための階段や坂道に埋設することにより、容易に視認される効果を発揮する。【０００８】  さらに、緊急用としてスマートフォン用ＵＳＢを２連配置すれば、情報収集を可能とする効果をも発揮する。
【図面の簡単な説明】
【０００９】
【図１】  本考案の実施例を示す下部埋込ボックス内部固着状況を含めた斜視図である。
【考案の実施するための最良の形態】
【００１２】  下部埋込ボックスは、耐候性を高めるためにＡＢＳ樹脂が使用され、防雨構造となっており、新設の構造物や既設の構造物に埋め込んで固着される。上部本体には固定凹部、固定用穴が設けられており、新設・既設の構造物にアンカーボルトで固定される。
【実施例】
【００１３】  以下、添付図面に従って一実施例を説明する。１は厚み１０ｍｍ〜２０ｍｍを有し、長さ１５０ｍｍ、巾１２０ｍｍ、高さ４０ｍｍ〜５０ｍｍ程度を有するＡＢＳ樹脂の射出成形品であり、２の回路、３のニッカド二次電池が係着されている。４の上部本体はＡＢＳ樹脂の射出成形品であり、高さ３０ｍｍ〜４０ｍｍ程度を有しており、５の固定凹部、６の固定穴が設けられ、７のソーラー電池が固着され、８の青色ＬＥＤライト、９の赤色ＬＥＤライトが固着されている。
【符号の説明】
【００１４】    １．下部埋込ボックス
２．回路
３．ニッカド二次電池
４．上部本体
５．固定凹部
６．固定穴
７．ソーラー電池
８．青色ＬＥＤライト
９．赤色ＬＥＤライト
【図１】
0003190462.tif 000003
【手続補正書】
【提出日】平成26年2月17日(2014.2.17)
【手続補正１】
【補正対象書類名】実用新案登録請求の範囲
【補正対象項目名】全文
【補正方法】変更
【補正の内容】
【実用新案登録請求の範囲】
【請求項１】
下部埋込ボックス及び上部本体よりなる誘導灯において、下部埋込ボックスに回路及びニッカド二次電池を固着し、上部本体には固定凹部及び固定用穴を設けるとともに、ソーラー電池、赤色ＬＥＤライト、及び青色ＬＥＤライトを固着したことを特徴とする誘導灯。
(57)【要約】      （修正有）【課題】ケトルの注ぎ口に安定して装着できるケトル用じょうごを提供する。【解決手段】ケトル用じょうごに取手ＣとホルダーＦを備えることにより、ケトルの取手に簡単に安定装着させることができ、また、ケトル用じょうごの注ぎ口を曲げることにより、ケトルの注ぎ口に装着しやすくなる。【選択図】図６
0003190430.tif 000002
【実用新案登録請求の範囲】
【請求項１】
ケトルの取手部分と一緒に保持できるように、長い取手を備えることを特徴とするケトル用じょうご。
【請求項２】
じょうごの先端を曲げ、あるいは曲がる構造の注ぎ口を備えることを特徴とする請求項１に記載のケトル用じょうご。
【請求項３】
ケトルのつるの部分などに引っ掛けて使用できるフックを備えることを特徴とする請求項１又は請求項２に記載のケトル用じょうご。
【請求項４】
ケトルの取手部分に挟みつけて装着できる構造のホルダーを備えることを特徴とする請求項１又は請求項２に記載のケトル用じょうご。
【考案の詳細な説明】
【技術分野】
【０００１】
本考案は、ケトル用じょうごに関するものである。
【背景技術】
【０００２】
じょうごは液体または粉体を口径の大きい容器から、口径の小さい穴または管を通して投入する際に利用する円錐状の器具であるが、垂直にセットして使用するのに適した形状となっている。
【０００３】
沸騰した時の蒸気でカルマン渦を発生させて音を鳴らす笛吹きを注ぎ口に装備した笛吹きケトルが普及しているが、注ぎ口に蒸気を集める為に蓋を密閉させる必要があり、その結果、蓋の開閉に相当の力が必要で、体力の衰えた高齢者には開閉に困難が伴うことがある。
【０００４】
注ぎ口に装備された笛吹き部分は、蓋に比べると軽い力で開閉できるように装着されているので、体力の衰えた高齢者等には容易に操作できるのであるが、水道蛇口や浄水器の蛇口などから該注ぎ口に水を入れ難い場合がある。
【０００５】
従来のじょうごを笛吹きケトルの注ぎ口に装着すると安定性を欠くために、片手でケトル用じょうごを保持する必要があり、ケトル本体の保持で片手が使われている場合には両手がふさがり、水道の蛇口等の操作に支障が生ずる場合がある。
【先行技術文献】
【特許文献】
【０００６】
【特許文献１】特開２００８−６３０１０号公報
【考案の概要】
【考案が解決しようとする課題】
【０００７】
従来のじょうごは、笛吹きケトル等の注ぎ口で使用する場合に安定しなかった。    
【課題を解決するための手段】
【０００８】
本願考案のケトル用じょうごは、ケトルの取手部分と一緒に保持できるように、長い取手を備える。
【０００９】
本願考案のケトル用じょうごは、先端を曲げ、あるいは曲がる構造の注ぎ口を備える。
【００１０】
本願考案のケトル用じょうごは、ケトルのつるの部分などに引っ掛けて使用できるフックを備える。
【００１１】
本願考案のケトル用じょうごは、ケトルの取手部分に挟みつけて装着できる構造の取手を備える。
【考案の効果】
【００１２】
ケトル用じょうごに長い取手を備えることにより、本体と一緒に保持して安定させることができた。
【００１３】
ケトルの取手部分に装着あるいはつるの部分に装着できる専用の取手を備えることにより、ケトル用じょうごを安定させることができた。
【００１４】
ケトル用じょうごの注ぎ口を曲げることにより、ケトルの注ぎ口に装着しやすくなった。
【図面の簡単な説明】
【００１５】
【図１】図１は、ケトル用じょうごの側面図である。（実施例１）
【図２】図２は、ケトル用じょうごの平面図である。（実施例１）
【図３】図３は、フックを備えるケトル用じょうごの平面図である。（実施例２）
【図４】図４は、挟みつけるホルダーを備えるケトル用じょうごの平面図である。（実施例３）
【図５】図５は、図４のｙ−ｙ’断面図である。（実施例３）
【図６】図６は、笛吹きケトルにケトル用じょうごを取り付けた説明図である。（実施例４）
【考案を実施するための形態】
【実施例１】
【００１６】
図１は、本願考案のケトル用じょうごの側面図である。じょうごＡに取手Ｃを備えている。
【００１７】
前記じょうごＡの注ぎ口Ｂが曲がっているとケトルの注ぎ口に装着し易くなる。そのため、硬質な素材で曲げて成型する。
【００１８】
あるいは、注ぎ口Ｂを曲げ易くする為、蛇腹構造を備えるか柔軟な素材を用いる。
【００１９】
図２は、本願考案のケトル用じょうごの平面図である。じょうごＡに取手Ｃを備えている。
【実施例２】
【００２０】
図３は、本願考案のケトル用じょうごの取手ＣにフックＤを備えた平面図である。
【００２１】
前記フックＤをケトルを吊り下げる為のつる等に引っ掛けてケトル用じょうごを安定させる。
【実施例３】
【００２２】
図４は本願考案のケトル用じょうごの平面図である。じょうごＡに取手Ｃを備え、該取手ＣにはホルダーＥが設置されている。
【００２３】
前記ホルダーＥは、ケトルの取手部分に挟みつけてケトル用じょうごを安定させる。
【００２４】
図５は、図４のｙ−ｙ’の断面図である。
【実施例４】
【００２５】
図６は、本願考案のケトル用じょうごを笛吹きケトルに装着して使用する説明図である。
ケトル用じょうごの取手Ｃがケトルの取手Ｆと重なり、両者をまとめて保持することができる。
【符号の説明】
【００２６】
Ａ  じょうご
Ｂ  注ぎ口
Ｃ  取手
Ｄ  フック
Ｅ  ホルダー
Ｆ  取手
【図１】
0003190430.tif 000003
【図２】
0003190430.tif 000004
【図３】
0003190430.tif 000005
【図４】
0003190430.tif 000006
【図５】
0003190430.tif 000007
【図６】
0003190430.tif 000008
(57)【要約】      （修正有）【課題】堅牢で、経年変化による破損も少ない浮島式の植栽筏であって、かつ浮力調整が可能で、重い培養地を搭載した場合にも沈下しない植栽用浮き筏を提供する。【解決手段】外枠を中空パイプで構成し、内面に植地ネットを張ったことを特徴とし、外枠を構成する中空パイプが塩化ビニル管であり、そのパイプには水の注入排水孔４を設けたものである。【選択図】図６
0003190478.tif 000002
【実用新案登録請求の範囲】
【請求項１】
外枠を中空パイプで構成し、内面に植地ネットを張ったことを特徴とする植栽用浮き筏
【請求項２】
外枠を構成する中空パイプが塩化ビニル管であり、そのパイプには水の注入排水孔を有する事を特徴とする請求項１の植栽用浮き筏
【請求項３】
植地ネット上にゼオライトから成る培地を設けたことを特徴とする請求項２の植栽用浮き筏
【請求項４】
植地ネット上に珪藻土から成る培地を設けたことを特徴とする請求項２の植栽用浮き筏
【請求項５】
植地ネット上に木炭から成る培地を設けたことを特徴とする請求項２の植栽用浮き筏
【請求項６】
植地ネット上にゼオライト、珪藻土および木炭の混合物から成る培地を設けたことを特徴とする請求項２の植栽用浮き筏
【考案の詳細な説明】
【技術分野】
【０００１】本考案は富栄養化により水質悪化した河川や湖沼の水質改善に利用する浮島式植栽水上筏に関するものである。
【背景技術】
【０００２】富栄養化による河川や湖沼の水質悪化は植物の植え付けにより改善できることは分かってきた。しかし水性植物は岸の土壌がなければ根付かないので埋め立てが必要であり、莫大な経費がかかり対策が進まない。浄化装置の開発や下水道の普及に力を注いできたが抜本的な改善がなく年々湖沼の水質が悪化の一途を辿っている。また木製や竹製の浮島式の植栽筏は簡便で良いが、堅牢さに欠けていたり、経年劣化で消耗し、破損すると逆に環境汚染に変わる可能性があったりする。又浮力を調整できないため、重い培養地を搭載した場合には沈下するという問題もあった。
【先行技術文献】
【特許文献】
【０００３】
【特許文献１】特開２００４−１７３６０３号公報
【特許文献２】実用新案登録第３１６５８６６号
【考案の概要】
【考案が解決しようとする課題】
【０００４】堅牢で、経年変化による破損も少ない浮島式の植栽筏が必要とされ、かつ浮力調整が可能で、重い培養地を搭載した場合にも沈下しない浮島式の植栽筏が必要とされている。本考案はこのような課題を解決しようとするものである。
【課題を解決するための手段】
【０００５】重い培養地を保持できるように、外枠を空中パイプで構成し、内面に植地支持ネットを張ったことを特徴とする植栽用浮き筏としたことである。
更に水性植物を植えた培地ネットが常に水面下の適切な位置を保持できるように水位調整ができるように、外枠を構成する中空パイプが塩化ビニル管であり、そのパイプには水注入・排出孔を有することを特徴とする植栽用浮き筏としたことである。
植栽物の成長を促進するよう、培地ネット上にゼオライト、珪藻土、木炭等単独或いはこれらの混合物の培養土壌を設けた、植栽用浮き筏としたことである。
【考案の効果】
【０００６】河川や湖沼の水質浄化には、浮島式植栽水上筏を出来るだけアオコの発生する岸に並べて浮かし、富栄養化の吸収とアオコの天敵のミジンコの繁殖に促すことである。
植栽した筏は安定して耐久性があり、豊水期や渇水期にも適度の水位を保っていられ冬でも凍結することなく通年性のアオコの発生に効果がある。【０００７】マコモの浮島が形成されアオコの発生が抑えられミジンコが大量に増殖することで水も綺麗になり魚も多く繁殖し、環境改善、漁獲高も増えることになる。またそれによって漁業、観光など地域活性化を狙っての考案でもある。
【図面の簡単な説明】
【０００８】
【図１】本考案は浮島式植栽水上筏の平面図である
【図２】浮きパイプの水注入・排出孔部の拡大図である
【図３】水注入・排出孔部のＡＡ’断面図である
【図４】ネット詰めの培地の斜視図である
【図５】ネット詰めの培地の断面図である
【図６】本考案の浮島式植栽水上筏に植物を移植した状態の図である
【考案を実施するための形態】
【０００９】湖沼や河川の水性植物を筏に植えた場合、水性植物を植えた培地ネットが常に水面下の適切な位置を保持できるように浮きパイプの水位調整を可能にした筏である。
浮きパイプはパイプのサイズを変えることで幾らでも大きさを選べるものである。
浮きパイプには必要に応じて適切に水没深さを調整できるように空気と水の出し入れできるように水注入・排出孔を設けたものである。
この浮島式植栽筏は浮きパイプと支持ネットと培地ネットから出来た簡単な構造であるがビニルパイプ、漁網等によって堅牢に制作できる。
【００１０】培地ネットにはゼオライト、珪藻土、木炭等を単独あるいはこれらの混合物を使用する。この考案は永久的に人工で育てるのでなく、マコモの生態を活かして浮島を形成する元を作るものである。従来の設備装置は幾ら堅牢でも経年劣化で消耗し、破損すると逆に環境汚染に変わる可能性があった。本考案は植物の特性を活かした自然再生の一助となり、植物そのものが浮島となり、浮島形成時点には筏そのものが不要になり撤去できる
【実施例１】
【００１１】市販の外径１０ｃｍの塩ビ管と接続用コーナーエルボを使用して、長辺９０ｃｍ、短辺６０ｃｍの浮きパイプ枠を形成し、四隅のコーナーエルボには、栓付の水注入排出孔を設ける。太めのナイロンロープを格子状に張り、浮きパイプ枠を構成した。その上に適度の柔軟性をもつ、漁網に使用されるナイロンネットを張り、浮きパイプ枠に固定することにより、図１に示す浮島式植栽水上筏を制作した。
【実施例２】
【００１２】詰め込むゼオライトがこぼれ落ない程度の網目のナイロンネットにゼオライトを適詰め込み、ゼオライト培地を制作した。この培地を実施例１の浮島式植栽水上筏のネット上に複数個並べ、培地付浮島式植栽水上筏を制作した。
【符号の説明】
【００１３】１  浮きパイプ
２  培地保持ネット
３  培地ネット
３１  ゼオライトと木炭混合物
４  水注入・排出孔
５  水注入・排出孔の栓
６  パイプニップル
７  ロックナット
８  水性植物（マコモ）
【図１】
0003190478.tif 000003
【図２】
0003190478.tif 000004
【図３】
0003190478.tif 000005
【図４】
0003190478.tif 000006
【図５】
0003190478.tif 000007
【図６】
0003190478.tif 000008
(57)【要約】      （修正有）【課題】袋本体に切り込みを入れ、折り曲げることにより、包装資材を消費することなく紙袋の口を手軽にとじることを特徴とする紙袋を提供する。【解決手段】紙袋本体１に一定間隔をあけた斜めの切り込み３を入れ、その切り込み３を紙袋の左右の側面に交互に折り曲げ、紙袋自体の構造を一部変えることにより、包装資材を消費することなく、エコ的な発想で、紙袋の口を手軽にとじるのに役立つ。【選択図】図１
0003190616.tif 000002
【実用新案登録請求の範囲】
【請求項１】
紙袋の口をとじるのを目的とした、紙袋に一定間隔に斜めの切り込みを入れ、それを折り曲げるという構造。
【考案の詳細な説明】
【技術分野】
【０００１】  本考案は、紙袋の口をとじるのを目的とした、紙袋に一定間隔に斜めの切り込みを入れ、それを折り曲げるという構造に関するものである。
【背景技術】
【０００２】  従来は紙袋の口をとじる場合、セロテープ（商標登録）、ステープラー、シール、糊などの包装資材を使用していた。
【考案の概要】
【考案が解決しようとする課題】
【０００３】  従来のとじ方ではセロテープ（商標登録）、ステープラー、シール、糊などの包装資材を永続的に消費することになる。従って、紙袋に斜めに切り込みを入れて折ることにより、資材を消費することなく、且つ、紙袋の口を手軽にとじることが可能になり、前述の欠点を解決しようとするものである。
【課題を解決するための手段】
【０００４】  本考案では、紙袋本体に一定間隔をあけた斜めの切り込みを入れ、その切り込みを紙袋の左右の側面に交互に折り曲げることで、紙袋自体の構造を一部変え、紙袋の口をとじることにより問題点を解決している。
【考案の効果】
【０００５】  パン屋、菓子屋、雑貨店、アクセサリー、おもちゃなどの小物類の販売時に、商品を必ず紙袋に入れて購入者に渡すような店において、紙袋をとじるための包装資材であるセロテープ（商標登録）、ステープラー、シール、糊などに代わり、本考案が利用されることで包装資材の消費防止に役立つ。
【図面の簡単な説明】
【０００６】
【図１】本考案の一定間隔をあけた斜めの切り込みを入れ、その切り込みを紙袋の左右の側面に交互に折り曲げることにより紙袋の口をとじる実施例を示す紙袋を斜め４５度から描いた図である。
【図２】袋の口を手で軽くひっぱり図１の折り曲げを解除することで、紙袋を平な状態に戻し、斜めの切り込みを同一平面上で示した紙袋の正面図である。
【図３】本考案の一定間隔をあけた斜めの切り込みを入れ、その切り込みを紙袋の左右の側面に交互に折り曲げることにより紙袋の口をとじる実施例を示す紙袋を斜め４５度から描いた図である。
【図４】袋の口を手で軽くひっぱり図３の折り曲げを解除することで、紙袋を平な状態に戻し、斜めの切り込みを同一平面上で示した紙袋の正面図である。
【考案を実施するための形態】
【０００７】  紙袋本体に一定間隔をあけた斜めの切り込みを入れ、その切り込みを紙袋の左右の側面に交互に折り曲げることにより、紙の口が開くのを防止するストッパーの役目を果たし、紙袋の口をとじる。
【実施例】
【０００８】  以下、添付図面に従って一実施例を説明する。図面では点線は折り筋を表すものとする。１の紙袋本体に物を入れたら、最適な箇所で、袋の口を片面に折り下げる。前述の最適な箇所とは、この図面では図２、図４の６紙袋の折り下げの位置を指す。この折り目に対して３の斜めの切り込みを２の切り込みの深さの基準兼折り曲げの基準の点線まで入れる。４の切り込みを折り曲げの基準の点線まで、図に向って左側に折り曲げたパーツと、５の切り込みを折り曲げの基準の点線まで図に向って右側に折り曲げたパーツを、紙袋の側面に交互に折り曲げることにより、紙袋の口がとじる。【０００９】  図１、図３で折り下がっている紙袋の口を手で持って、軽く上方向に持ち上げるだけで、折り曲げを解除することができ、簡単に紙袋の口を開けることができる。図２、図４は、このようにして紙袋の口を平な状態に戻したところを正面から見た図である。その場合、図２、図４のように斜めの切り込みが残る。
【符号の説明】
【００１０】  １  紙袋本体
２  切り込みの深さの基準兼折り曲げの基準の点線
３  基準線まで切り込んだ斜めの切り込み
４  切り込みを折り曲げの基準の点線まで図に向って左側に折り曲げたパーツ
５  切り込みを折り曲げの基準の点線まで図に向って右側に折り曲げたパーツ
６  紙袋の折り下げの位置
【図１】
0003190616.tif 000003
【図２】
0003190616.tif 000004
【図３】
0003190616.tif 000005
【図４】
0003190616.tif 000006
【手続補正書】
【提出日】平成26年3月3日(2014.3.3)
【手続補正１】
【補正対象書類名】実用新案登録請求の範囲
【補正対象項目名】全文
【補正方法】変更
【補正の内容】
【実用新案登録請求の範囲】
【請求項１】
紙本体の一対の側面に一定間隔をあけた切り込みを設けた紙袋であって、紙袋の口を片面に折り下げ、折り目から斜めに切り込んで形成されるパーツを、紙袋の側面に交互に折り曲げることで、紙袋の口をとじることを特徴とする紙袋。
(57)【要約】      （修正有）【課題】咲き誇った草花の鉢をより効率よく立体的に組み合わせ積み重ねて展示することが可能になる植木鉢を提供する。【解決手段】上面を開口した函体または楕円容器１からなる植木鉢の底面部２の角隅み内側に貫通穴３を設け、貫通穴３に上下可動する棒状の軸体４を挿入し、軸体４の先端上部と下部には貫通穴３より大きい直径からなる円盤体５を設ける。【選択図】図１
0003190650.tif 000002
【実用新案登録請求の範囲】
【請求項１】
（イ）上面を開口した函体または楕円容器（１）からなる植木鉢の底面部（２）の角隅み      内側に貫通穴（３）を設け、
（ロ）貫通穴（３）に、上下可動する棒状の軸体（４）を挿入し、
（ハ）軸体（４）の先端上部と下部には貫通穴（３）より大きい直径からなる円盤体（５      ）を設け、
以上のようなる植木鉢。
【考案の詳細な説明】
【技術分野】
【０００１】本考案は植木鉢複数を立体的に積み重ねて展示し、また、重ねて収納可能にした植木鉢に関するものである。
【背景技術】
【０００２】従来、植木鉢を箱に入れ地面上に直置きしたり、展示育成用の棚に乗せて鑑賞用の展示をしていた。
【考案の概要】
【考案が解決しようとする課題】
【０００３】色とりどりに咲いた植木鉢を複数個積み重ねることで、狭い場所を立体的に有効に使い華やいだ展示が出来ることを課題にする。また、植木鉢を収納するときは複数個を積み重ねてコンパクトに整理する。
本考案は、以上の問題点を解決するためになされたものである。
【課題を解決するための手段】
【０００４】植木鉢底面部に複数の貫通穴を設け、上下に動く軸体を設ける、軸体は貫通穴から飛び出して抜け落ちを防止する。本考案の植木鉢を複数個上下に重ねても、軸体は下の植木鉢にも差し込まれ、軸体が上下の植木鉢を固定し崩れ落ちを防止する。
【考案の効果】
【０００５】本考案により、平置き展示から植木鉢複数を積み重ねることで、立体的な展示が可能になりより多様な展示方法を演出し展示を効果的にする。
【図面の簡単な説明】
【０００６】
【図１】  本考案の函体の斜視図。
【図２】  本考案の貫通穴と上下に動く軸部の断面図。
【図３】  本考案の函体の使用状態の斜視図。
【考案を実施するための形態】
【０００７】以下、本考案の実施の形態を説明する。
（イ）上面を開口した函体または楕円容器（１）からなる植木鉢の底面部（２）の角隅み      内側に貫通穴（３）を設け、
（ロ）貫通穴（３）に、上下可動する棒状の軸体（４）を挿入する、
（ハ）軸体（４）の先端上部と下部には貫通穴（３）より大きい直径からなる円盤体（５      ）を設け、
本考案は以上のような構造である。
本考案を使用するときは、上面を開口した函体または楕円容器（１）からなる植木      鉢の底面部（２）の角隅に貫通穴（３）から出た上下可動する軸体（４）を平置き      した植木鉢の上部開口へひとつ、または、ふたつの軸体（４）を挿入しながら積み      重ねてゆく、軸体（４）は先端上部と下部に円盤体（５）があるため、抜けにくく      、組合わせ立体的に積み重ねることが可能になり、倒れにくい構造になる。平置き      展示から立体展示、鉢の入れ替えが簡単になり店頭のディスプレーも楽しめる。
【符号の説明】１  函体
２  底面部
３  貫通穴
４  軸体
５  円盤体
【図１】
0003190650.tif 000003
【図２】
0003190650.tif 000004
【図３】
0003190650.tif 000005
(57)【要約】      （修正有）【課題】ホースアダプターに柔軟性を有する吸入口一体形成の吸入ホースを取り付けて構成する自在隙間ノズルを提供する。【解決手段】電気掃除機のホースの先端に取り付けるホースアダプターを基体１とし、この先端に装着部２を設け、これに柔軟性を有する吸入口６一体形成の吸入ホース５の装着口４を結合させることにより自在性が格段に向上し、使い勝手の良い自在隙間ノズルとなる。【選択図】図１
0003190647.tif 000002
【実用新案登録請求の範囲】
【請求項１】
ホースアダプターに柔軟性を有する吸入口一体形成の吸入ホースを取り付けたところを特徴とする自在隙間ノズル。
【考案の詳細な説明】
【技術分野】
【０００１】  本考案は、電気掃除機の応用付属品の一種であり、【０００２】  ホースアダプターに柔軟性を有する吸入口一体形成の吸入ホースを取り付けて構成する自在隙間ノズルに関するものである。
【背景技術】
【０００３】  従来の隙間ノズルは、硬い素材で棒状に一体形成されていたため、自在性に欠け、屈折した隙間や奥まった物陰などの対応は極めて困難であった。
【考案の概要】
【考案が解決しようとする課題】
【０００４】  従来の隙間ノズルは、エアコンを掃除する際に、ラジェーターのアルミ薄板等に損傷を与えることがあり、また、屈折して奥まった所などには対応が非常に困難であり、使い勝手が悪かった。【０００５】  従って、自在性を充分に備えた自在隙間ノズルを開発し、上記の欠点を解決しようとするものである。
【課題を解決するための手段】
【０００６】  本考案は、ホースアダプターを基体とし、この先端に吸入ホースを取り付けた構造のものであり、【０００７】  この吸入ホースは、柔軟性を有する吸入口一体形成のもので、吸入口は斜めにカットして吸入面積を広め、吸入効率を高めている。【０００８】  これにより、対物密着性と自在性に優れ、使い勝手の良い自在隙間ノズルとして、前記の問題点を解決することが出来る。
【考案の効果】
【０００９】  上記のように、本考案の自在隙間ノズルは、屈折した部分や奥まった所の物陰などにも自在に対応することが可能となり、【００１０】  エアコンラジェーターのアルミ薄板など、掃除対象物に傷つけることも無くなり、作業効率は格段に向上する。【００１１】  特にエアコンのような複雑な機器などの掃除には、この自在隙間ノズルは従来に無い効果を発揮する。
【図面の簡単な説明】
【００１２】
【図１】本考案の自在隙間ノズルの実施例を示す側面図である。
【図２】基体であるホースアダプターの断面図である。
【図３】吸入ホースの断面図である。
【考案を実施するための形態】
【００１３】  本考案は、ホースアダプターを基体とし、この先端に吸入ホース装着部を設け、これに吸入ホースを取り付けたものである。
【００１４】  この吸入ホースは、柔軟性を有する吸入口一体形成のものであり、この吸入口を斜めにカットして吸入面積を広くして吸入効率を高めるとともに、対物密着性と自在性を持たせたところの自在隙間ノズルである。
【実施例】
【００１５】  以下、添付図面に従って一実施例を説明する。本考案は、電気掃除機のホースアダプターを基体１とし、この先端に吸入口６一体形成の吸入ホース５を装着して自在隙間ノズルを形成する。【００１６】  この基体１は筒状のホースアダプターで、基部３は電気掃除機ホースの先端に差し込む部分であり、基体１の先端の細い筒状の装着部２は上記吸入ホース５の装着口４を装着する部分である。【００１７】  この吸入ホース５は、ビニールやゴムなどの柔軟性を有する素材のもので、この先端の吸入口６は斜めにカットして吸入面積を広くし、対物密着性を持たせて吸入効率を高めている。【００１８】  特にエアコンラジェーターのアルミ薄板などに傷をつけることが無くなるなど、複雑な機器などの掃除には、この自在隙間ノズルの機能が充分に発揮される。【００１９】  この吸入ホース５の長さは任意であり、必要があれば市販のホースと簡単に交換することが出来る。【００２０】  使用に当たっては、基体１を、状況によっては基体１及び吸入ホース５を把持して吸入口６を対象物に近か付ける。【００２１】  本考案の実施例は上記の如き構成からなるものであるから、特に、屈折した部分や奥まった物陰などにおいても自在に対応する事が出来る。
【符号の説明】
【００２２】１  基体
２  吸入ホース装着部
３  基部
４  装着口
５  吸入ホース
６  吸入口
【図１】
0003190647.tif 000003
【図２】
0003190647.tif 000004
【図３】
0003190647.tif 000005
(57)【要約】      （修正有）【課題】実用性においてより有効ならしめるとともに、耐久性、デザイン性にも優れた反帰性反射材を装着した前鍔つき帽子を提供する。【解決手段】再帰性反射材６を装着した前鍔付き帽子において、再帰性反射材６を、前鍔３の周縁に露出するように、鍔部３の表面部材４と裏面部材５との間に装着したことにより、再帰性反射機能の耐久性、実用性及びデザイン性を得ることができる。【選択図】図１
0003190648.tif 000002
【実用新案登録請求の範囲】
【請求項１】
再帰性反射材を装着した前鍔付きの帽子において、前記前鍔の周縁に前記再帰性反射材を露出するように、前記前鍔の表面部材と裏面部材との間に装着したことを特徴とする再帰性反射材を装着した前鍔付き帽子。
【考案の詳細な説明】
【技術分野】
【０００１】本考案は、再帰性反射材を装着した前鍔付き帽子に関するものである。
【背景技術】
【０００２】  近年、現代人の運動不足解消等のため、特に中高年齢層の間でウォーキングと称される歩行運動が盛んに行われている。
ウォーキングは、早朝、夕暮れ時から夜間にかけて行われている例がよく見受けられる。
こうしたウォーキング中の交通事故を防止するために、光反射性シールを装着した帽子の着用が奨励される。
従来、自動車のライトや照明などで、自動車の運転者の注意を即すために、帽子のクラウンの表面下部に光反射テープを貼着又は縫製した帽子が知られている（特許文献１）。
【先行技術文献】
【０００３】
【特許文献１】実開昭５８−１１３７２３号  公報
【考案の概要】
【考案が解決しようとする課題】
【０００４】  帽子のクラウンの表面下部に光反射テープを貼着等した場合、時間経過や繰り返し使用されることにより光反射テープを貼着した箇所がへたってしまった場合、光反射テープの光輝度が低下し、本来の機能を所望できない事態が生じ得る。
本来、帽子は殊の外、乱暴に扱われることが多く、貼着等した光反射テープが擦れたり、剥がれたりしないようにする必要がある。
さらに、帽子は、実用的な観点からのみでなく、デザイン性も必要であり、明るい昼間においてもそのまま着用する場合があることについて配慮する必要が望まれる。
そこで、本考案は、実用性においてより有効ならしめるとともに、耐久性、デザイン性にも優れた再帰性反射材を装着した前鍔付き帽子を提供するものである。
【課題を解決するための手段】
【０００５】  再帰性反射材を装着した前鍔付きの帽子において、前記前鍔の周縁に前記再帰性反射材を露出するように、前記前鍔の表面部材と裏面部材との間に装着したことを特徴とするものである。
【考案の効果】
【０００７】  本考案は、再帰性反射材を前鍔の周縁に露出するように、前記前鍔の表面部材と裏面部材との間に装着する構成にしたことにより、前記再帰性反射材は、時間経過等による剥がれ現象を回避でき、光輝度の低下をさせることがない。
これにより、本来の再帰性反射機能を所望でき、実用性とデザイン性に優れたものになる。
【図面の簡単な説明】
【０００８】
【図１】本考案の全体を示す斜視図である。
【図２】本考案の前鍔の断面拡大図である。
【考案を実施するための最良の形態】
【０００９】  クラウン部（２）を形成する複数個（図示せず）のクラウン片（２ａ）と、再帰性反射材（６）を縫製したクラウン外周の前頭部に延伸する前鍔（３）に分けられ、前記クラウン片（２ａ）ごとに裁断した後に、クラウン片（２ａ）ごとに印付けられた縫製線を継ぎ合せて縫製する。前鍔（３）には、鍔の型崩れを防止すべく、適宜、芯部材（７）を装着する。
【実施例】
【００１０】  以下、添付図面に従って実施例を説明する。図１は、本考案の再帰性反射材を装着した前鍔付き帽子（１）全体を示す。本考案の前鍔付き帽子（１）は、クラウン部（２）を形成する複数個（図示せず）のクラウン片（２ａ）と、再帰性反射材（６）の長手方向各端部を表面部材（４）の周縁と裏面部材（５）の周縁に縫製した後に芯部材（７）を挿入した前鍔（３）を、それぞれのパーツごとに継ぎ合せる。【００１１】  クラウン部（２）を形成する複数個（図示せず）のクラウン片（２ａ）は、刺繍（図示せず）を施すことができるデニム生地からなる。なお、クラウン部（２）を形成できる生地であればデニム生地には限定されない。【００１２】  前鍔（３）を形成する表面部材（４）及び裏面部材（５）は、クラウン片（２ａ）と同じデニム生地であるが、再帰性反射材（６）を装着できる素材であればデニム生地に限定されない。【００１３】  図２は、本考案の前鍔（３）の断面拡大図である。
再帰性反射材（６）は、ポリエステル糸と綿糸を混合した生地に、アルミを蒸着させた上にガラスビーズを接着したものである。その上にポリエステルを熱接着させ、ガラスビーズを封入したものである。前記生地のポリエステル糸及び綿糸の重量比率は、６５重量％：３５重量％が望ましい。【００１４】  芯部材（７）は、ポリプロピレン等の樹脂を使用しているが、表面部材（４）と裏面部材（５）が前鍔（３）の型崩れがしない程度の厚地であれば前記芯部材（７）は不要である。
【符号の説明】
【００１５】１    再帰性反射材を装着した前鍔付き帽子本体
２    クラウン部
２ａ  クラウン片
３    前鍔
４    表面部材
５    裏面部材
６    再帰性反射材
７    芯部材
【図１】
0003190648.tif 000003
【図２】
0003190648.tif 000004
(57)【要約】      （修正有）【課題】スカートの外観を損なわずに、スカートのめくれを簡単に防止するスカート留め具を提供する。【解決手段】スカート３に接着装置４で取り付けた結合用具５を下着１に取り付けた穴の空いた素材２と結合させて、スカートの裾がめくれないようにする。穴の空いた素材としては、ネット（網）や、レースなどが好ましい。接着装置としては、粘着テープなどがある。結合用具としては、鉤状の留め金、ボタン、面ファスナー、粘着テープなど様々な素材の活用が可能である。【選択図】図２
0003190622.tif 000002
【実用新案登録請求の範囲】
【請求項１】
ネット（網）や、レースなど穴のあいた素材を利用して、スカートを留め、スカートの外観を損なわずに簡単にスカートめくれ防止が出来るようにしたことを特徴とするスカート留め具。
【考案の詳細な説明】
【技術分野】
【０００１】  本考案は、一部分に穴の空いた素材を利用したスカート留め具に関するものである。
【背景技術】
【０００２】  従来の技術には、「めくれ防止機能付きスカート」がある。（実用新案登録第３１２６０００号）以下、従来の「めくれ防止機能付きスカート」について説明する。従来のめくれ防止では、スカート本体に６本のゴムバンドを装着しそれを、ふとももに巻きつけたゴムバンドに一つずつ巻き付ける。【０００３】  その他の従来の技術には、スカートの裾をテープで留める方法があった。（実用新案登録第３１７９６７９号）
【先行技術文献】
【特許文献】
【０００４】
【特許文献１】実用新案登録第３１２６０００号
【特許文献２】実用新案登録第３１７９６７９号
【考案の概要】
【考案が解決しようとする課題】
【０００５】  しかし、スカート本体にゴムバンドを装着すると、スカートの外観が損なわれ、ゴムバンドを一つずつ太もも部分に巻きつけると手間がかかる、などの欠点があった。又、テープを利用してスカートを固定する方法も、テープの適切な位置が限定されるなどの理由で、めんどうである。【０００６】  本考案はこのような、問題を解決する為になされたもので、スカートの外観を損なわずにスカートがめくれるのを簡単に防止する事を目的とする。
【課題を解決するための手段】
【０００７】  上記目的を達成する為に、本考案は、ネット（網）や、レースなど穴のあいた素材を利用して、スカートの裾の動きを制限出来るようにした。
【考案の効果】
【０００８】    このスカート留め具を使用すれば、外見を損なわずに、簡単にスカートを留められるので、風のある日なども、めくれを気にせず、スカートで外出できる。
【図面の簡単な説明】
【０００９】
【図１】本考案に係る留め具の一部分の正面図である。
【図２】本考案に係る留め具の実施形態を示す一部断面図である。
【考案を実施するための形態】
【００１０】  本考案の実施形態について図面を参照して説明する。図２に、本考案に係る留め具の実施形態を示す。スカート３に接着装置４で取り付けた結合用具５を下着１の穴の空いた素材部分２と結合させて、スカートの裾がめくれないようにする。
【００１１】  穴の空いた素材２としては、ネット（網）や、レースなどが好ましい。接着装置４としては、粘着テープなどがある。結合用具５としては、鉤状の留め金、ボタン、マジックテープ、粘着テープなど様々な素材の活用が可能である。
【産業上の利用可能性】
【００１２】  本考案は、スカート留め具を製造する産業で利用される。
【符号の説明】
【００１３】  １  下着
２  穴の空いた素材
３  スカート
４  接着装置
５  結合用具
【図１】
0003190622.tif 000003
【図２】
0003190622.tif 000004
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
ネット（網）やレースなど穴のあいた素材と、スカートに取り付けるための接着装置と、前記接着装置に取り付けた結合用具から成り、下着に取り付けた前記穴のあいた素材と、スカートに前記接着装置で取り付けた前記結合用具を結合させて、スカートの裾をめくれないようにしたことを特徴とするスカート留め具。
【手続補正２】
【補正対象書類名】明細書
【補正対象項目名】００１１
【補正方法】変更
【補正の内容】
【００１１】穴の空いた素材２としては、ネット（網）や、レースなどが好ましい。接着装置４としては、粘着テープなどがある。留め具５としては、鉤状の留め金、ボタン、面ファスナー、粘着テープなど様々な素材の活用が可能である。
(57)【要約】      （修正有）【課題】上肢を支持固定するという機能を備えながら、頚肩部に負担がかかりにくく、見た目に痛々しさを感じさせないシンプルなデザインを追求し、あわせてポケットに入れて携行できるほどのコンパクトさを実現させた上肢支持具を提供する。【解決手段】上肢支持具は、正面からみて長尺の帯状、側面からみて環状に形成されており、右肩から左前腕、あるいは左肩から右前腕にかけて斜めに通すことで上肢を支持することができる。【選択図】図２
0003190666.tif 000002
【実用新案登録請求の範囲】
【請求項１】
正面からみて長尺の帯状、側面からみて環状に形成されており、右肩から左前腕、あるいは左肩から右前腕にかけて斜めに通すことで上肢を支持することができる、上肢支持具。
【考案の詳細な説明】
【技術分野】
【０００１】
本考案は、上肢支持具に関する。
【背景技術】
【０００２】
従来の上肢支持具としての三角巾は、首から吊るので頚肩部に負担がかかり、また見た目に痛々しさを感じさせるものであった。
【考案の概要】
【考案が解決しようとする課題】
【０００３】
本考案は、上肢を支持固定するという機能を備えながら、頚肩部に負担がかかりにくく、見た目に痛々しさを感じさせないシンプルなデザインを追求し、あわせてポケットに入れて携行できるほどのコンパクトさを実現させた上肢支持具を提供することを目的とする。
【課題を解決するための手段】
【０００４】
本考案に係る上肢支持具は、正面からみて長尺の帯状、側面からみて環状に形成されており、右肩から左前腕、あるいは左肩から右前腕にかけて斜めに通すことで上肢を支持することができる、上肢支持具である。
【考案の効果】
【０００５】
上記構成によれば、上肢を支持固定するという機能を備えながら、従来の三角巾のように首から吊らないので、頚肩部に負担がかかりにくく、見た目に痛々しさを感じさせないシンプルなデザインを追求し、あわせてポケットに入れて携行できるほどのコンパクトさが実現される。
【図面の簡単な説明】
【０００６】
【図１】図１（Ａ）は上肢支持具の正面図、図１（Ｂ）は上肢支持具の平面図、図１（Ｃ）は上肢支持具の右側面図である。
【図２】図２（Ａ）は、上肢支持具の使用状態を示す正面図であり、図２（Ｂ）は、上肢支持具の使用状態を示す背面図である。
【考案を実施するための形態】
【０００７】
図１（Ａ）は上肢支持具の正面図、図１（Ｂ）は上肢支持具の平面図、図１（Ｃ）は上肢支持具の右側面図である。なお、背面図、左側面図および底面図は、それぞれ正面図、右側面図および平面図と対称にあらわれるため省略する。各図に示すように上肢支持具の形状は、正面からみて長尺の帯状、側面からみて環状である。図２（Ａ）は、上肢支持具の使用状態を示す正面図であり、図２（Ｂ）は、上肢支持具の使用状態を示す背面図である。各図にみられるように、本考案に係る上肢支持具は、右肩から左前腕、あるいは左肩から右前腕にかけて斜めに通すことで上肢を支持することができる上肢支持具である。上肢支持具の周長は、肘を直角に屈曲したときの前腕中央部の位置を基準に例えば１１０ｃｍ前後、本物品の幅は、身長を基準に例えば５ｃｍ前後に設定される。
【０００８】
本考案に係る上肢支持具は、前腕中央部の１箇所が支点となることで、その支点から手にかけての前腕遠位部の自重が、テコの作用で上腕を肩関節方向へ押し上げる力として働き、肩関節亜脱臼症状等の各種症状の予防改善にも有意義なものである。また、上肢が体幹から離れないようにするためにはベルトを使用することも考えられるが、本物品は、前方（肩関節屈曲）および外方（肩関節外転）への動きに抑制力が働くため、かかるベルトを使用しなくても体幹に上肢を固定する機能性が高く、肩関節を安定固定させたい場合や、半身麻痺の状態における麻痺上肢を車椅子のアームレスト上に安定させたい場合にも有意義なものである。
【０００９】
以上のごとく、本考案に係る上肢支持具は、上肢を支持固定するという機能を備えながら、従来の三角巾のように首から吊らないので、頚肩部に負担がかかりにくく、見た目に痛々しさを感じさせないシンプルなデザインを追求し、あわせてポケットに入れて携行できるほどのコンパクトさを実現させたものである。
【００１０】
本意匠の素材としては、上肢の支持性を確保するため、例えば長尺方向へは伸張しない布地のほか、肘の屈曲が深くなる場合を考慮し、多少の伸縮性を持たせて密着性が確保できる素材も使用できる。特に、布地を使用した場合には、色や柄の自由な選択により、衣服とのコーディネートを楽しむことが可能となる。
【図１】
0003190666.tif 000003
【図２】
0003190666.tif 000004